(57)【特許請求の範囲】
【請求項１】
払拭体と、該払拭体を外装して保持する保持部と、前記保持部と連結したハンドル部とを有した清掃具であって、
清掃用液体を貯留する貯留タンクと、
前記貯留タンクの貯留液を吐出させる吐出手段と、を有し、
前記保持部は、前記払拭体を外装する複数の外周面で構成された回転多面体構造を有し、
各外周面に開口部を形成し、
前記貯留タンクの内部に前記貯留液の吐出口を設け、
前記吐出手段により前記吐出口から前記貯留液を前記開口部に向けて吐出可能にし、該貯留液の吐出により前記払拭体を湿潤させるものであり、
前記貯留タンクを前記保持部の内部に設け、
前記貯留タンクは、全体として円筒ドラム形状を有し、
前記保持部の外側面は、蓋板により閉塞可能になっており、
前記蓋板には軸受用円弧部が形成されており、蓋板の各円弧部は、前記貯留タンクの外周を覆い、前記保持部の回動を円滑に行うことができ、
前記保持部を中心軸の回りに回動可能に軸支し、
前記吐出手段は、
前記保持部を所定の回動位置に回動した場合、前記貯留液を前記払拭体の裏側に吐出可能にし、それ以外の回動位置に回動した場合には、前記貯留液の吐出を不能にする弁部材を有する
ことを特徴とする清掃具。
【請求項２】
前記弁部材は、
付勢手段の付勢力により外向きに付勢されて前記貯留液の吐出を不能にする弁体を有し、
前記開口部は、
貫通孔と、
前記弁体に当接して前記付勢力に抗して内向きに該弁体を移動させる当接部と、を有し、
前記保持部が回動すると前記弁体が前記当接部に当接して押動されることによって前記貯留液を前記払拭体の裏側に吐出可能にした、
請求項１に記載の清掃具。
【請求項３】
前記弁体が前記当接部に当接しないときは、前記弁体は前記付勢手段により前記吐出口を封鎖して前記貯留液の吐出を遮断する、
請求項２に記載の清掃具。
【請求項４】
前記開口部は、
前記外周面に形成した孔部の中央部を閉鎖する閉鎖面により分離して形成された複数の貫通孔を有し、
前記閉鎖面により前記当接部を構成した、
請求項２または３に記載の清掃具。
【請求項５】
各外周面には、前記開口部が１つ以上形成され、各開口部毎に前記吐出口を設けた、
請求項１〜４のいずれかに記載の清掃具。
【請求項６】
前記貯留タンクの液充填口を前記保持部の軸支部と対向して配置した、
請求項１〜５のいずれかに記載の清掃具。
【請求項７】
前記清掃用液体は、少なくとも、水、洗剤溶液、除菌液、フローリング液のいずれかである、
請求項１〜６のいずれかに記載の清掃具。
【発明の詳細な説明】
【技術分野】
【０００１】
本発明は、払拭体に清掃液を湿潤させて家具、床面等の清掃を行う清掃具に関する。
【背景技術】
【０００２】
従来の清掃具は、一般に単一の払拭面（掃除部）のみを有しているため、払拭面が汚れたときに新たに払拭面を再生または取り替える必要がある。
【０００３】
例えば、特許文献１には、掃除部を多面形状にして多面の払拭面で清掃する清掃具が開示されている。しかし、払拭面が単一または複数にしても、清掃箇所に清掃液を塗布して清掃作業を行う場合、清掃具と別に清掃液の塗布器具を用意する手間を要した。
【０００４】
清掃液の塗布器具を用いないで、払拭体に清掃液を湿潤させる機能を備えた清掃具に関し、例えば、特許文献２、３が知られている。  
【０００５】
特許文献２には、清掃ヘッドに連結された柄の部分に取り付けたワックスタンクから、ワックス塗布液をワックスタンクと清掃ヘッドとの間に連結された流管を通して清掃ヘッドの基部に導き、塗布液が基部の底部に取着されたモップ部に浸透あるいは流下させる液供給構造が開示されている。
【０００６】
特許文献３には、清掃ヘッドに液容器を設け、柄の先端に設けたスクイズ部を握ることで、スクイズ部と液容器との間に連結したエアー供給用ホースを介して容器内に空気を供給し、供給された空気によって容器内のワックスを加圧してワックス供給孔を通じて清掃ヘッドの塗布部に供給する液供給構造が開示されている。
【先行技術文献】
【特許文献】
【０００７】
【特許文献１】特開２００２−３１５７０６号公報
【特許文献２】特開平１１−１９７０８１号公報
【特許文献３】特開２００３−３１９９００号公報
【発明の概要】
【発明が解決しようとする課題】
【０００８】
特許文献２の液供給構造では、清掃ヘッドの柄の部分に、ワックスタンクを取付け、ワックスタンクから流管を介して基部に向けて一方向に液供給が行われる。しかしながら、一方向に液供給を行う液供給構造の場合、清掃ヘッドには単一の基部を設けるにとどまるため、基部の汚れや傷みが進行しやすく、基部の取替を頻繁に行う手間を要する問題があった。
【０００９】
特許文献２の液供給構造でも、払拭具と反対側に液放出部を設けているため、被清掃箇所に清掃液を吹き付けた後、清掃ヘッドを反転して払拭具で清掃する手間を要し、また、払拭具は一面側に設けられているだけであるため、特許文献１の場合と同様、払拭具の汚れや傷みが進行しやすく、払拭具の取替を頻繁に行う手間を要する問題があった。
【００１０】
本発明は、上記課題に鑑み、清掃用液体の供給構造をコンパクト化して液清掃に好適で、しかも利便性に優れた清掃具を提供することを目的とする。
【課題を解決するための手段】
【００１１】
本発明は、上記課題を解決するために提案されたものであって、
本発明に係る第１の形態は、
払拭体と、該払拭体を外装して保持する保持部と、前記保持部と連結したハンドル部とを有した清掃具であって、
清掃用液体を貯留する貯留タンクと、
前記貯留タンクの貯留液を吐出させる吐出手段と、を有し、
前記保持部は、前記払拭体を外装する複数の外周面で構成された回転多面体構造を有し、
各外周面に開口部を形成し、
前記貯留タンクの内部に前記貯留液の吐出口を設け、
前記吐出手段により前記吐出口から前記貯留液を前記開口部に向けて吐出可能にし、該貯留液の吐出により前記払拭体を湿潤させることを特徴とする清掃具である。
【００１２】
本発明に係る第２の形態は、前記貯留タンクを前記保持部の内部または外部に配置し、前記吐出口を前記開口部に対向する位置に配設し、前記貯留タンクから前記貯留液を前記開口部に吐出する清掃具である。
【００１３】
本発明に係る第３の形態は、
前記貯留タンクを前記保持部の内部に設け、
前記保持部を中心軸の回りに回動可能に軸支し、
前記吐出手段は、
前記保持部を所定の回動位置に回動した場合、前記貯留液を前記払拭体の裏側に吐出可能にし、それ以外の回動位置に回動した場合には、前記貯留液の吐出を不能にする弁部材を有する清掃具である。  
【００１４】
本発明に係る第４の形態は、
前記弁部材は、
付勢手段の付勢力により外向きに付勢されて前記貯留液の吐出を不能にする弁体を有し、
前記開口部は、
貫通孔と、
前記弁体に当接して前記付勢力に抗して内向きに該弁体を移動させる当接部と、を有し、
前記保持部が回動すると前記弁体が前記当接部に当接して押動されることによって前記貯留液を前記払拭体の裏側に吐出可能にした清掃具である。
【００１５】
本発明に係る第５の形態は、前記弁体が前記当接部に当接しないときは、前記弁体は前記付勢手段により前記吐出口を封鎖して前記貯留液の吐出を遮断する清掃具である。
【００１６】
本発明に係る第６の形態は、
前記開口部は、
前記外周面に形成した孔部の中央部を閉鎖する閉鎖面により分離して形成された複数の貫通孔を有し、
前記閉鎖面により前記当接部を構成した清掃具である。
【００１７】
本発明の第７の形態は、各外周面には、前記開口部が１つ以上形成され、各開口部毎に前記吐出口を設けた清掃具である。
【００１８】
本発明に係る第８の形態は、前記貯留タンクの液充填口を前記保持部の軸支部と対向して配置した清掃具である。
【００１９】
本発明に係る第９の形態は、前記清掃用液体は、少なくとも、水、洗剤溶液、除菌液、フローリング液のいずれかである清掃具である。
【発明の効果】
【００２０】
本発明に係る第１の形態によれば、清掃用液体を貯留する貯留タンクと、貯留タンクの貯留液を吐出させる吐出手段と、を有し、保持部は、払拭体を外装する複数の外周面で構成された回転多面体構造を有し、各外周面に開口部を形成し、貯留タンクの内部に貯留液の吐出口を設け、吐出手段により吐出口から貯留液を開口部に向けて吐出可能にし、該貯留液の吐出により払拭体を湿潤させることが可能な液供給構造を有するので、清掃用液体の供給構造をコンパクト化でき、しかも払拭体を湿潤させた複数の払拭面により液清掃を円滑に行え利便性に優れた清掃具を実現することができる。本発明に係る払拭体には、布、紙、不織材、パイル状モップ、スポンジ材など各種の清掃用払拭体を使用することができる。
【００２１】
本発明に係る第２の形態によれば、貯留タンクを前記保持部の内部または外部に配置し、吐出口を開口部に対向する位置に配設し、貯留タンクから貯留液を開口部に吐出して払拭体を湿潤させることが可能な液供給構造を有するので、液供給構造をコンパクト化でき、しかも払拭体を湿潤させた複数の払拭面により液清掃を円滑に行え利便性に優れた清掃具を実現することができる。
【００２２】
本発明に係る第３の形態によれば、貯留タンクを保持部の内部に設け、保持部を中心軸の回りに回動可能に軸支し、記吐出手段は、保持部を所定の回動位置に回動した場合、貯留液を払拭体の裏側に吐出可能にし、それ以外の回動位置に回動した場合には、貯留液の吐出を不能にする弁部材を有するので、払拭面の切替の際に新払拭面に貯留液を塗布でき、コンパクト化した液供給構造により、払拭体を湿潤させた複数の払拭面により液清掃を円滑に行え利便性に富んだ清掃具を実現することができる。
【００２３】
本発明に係る第４の形態によれば、弁部材は、付勢手段の付勢力により外向きに付勢されて前記貯留液の吐出を不能にする弁体を有し、開口部は、貫通孔と、弁体に当接して前記付勢力に抗して内向きに該弁体を移動させる当接部と、を有し、保持部が回動すると弁体が当接部に当接して押動されることによって貯留液を払拭体の裏側に吐出可能にするので、払拭面の切替の際に新払拭面に貯留液を確実に塗布できるコンパクトな液供給構造により、払拭体を湿潤させた複数の払拭面により液清掃を円滑に行え利便性に富んだ清掃具を実現することができる。
【００２４】
本発明に係る第５の形態によれば、弁体が当接部に当接しないときは、弁体は付勢手段により吐出口を封鎖して貯留液の吐出を遮断するので、払拭面の切替を必要とするときに新払拭面に貯留液を確実に塗布できる液供給構造をコンパクトに構成して、払拭体を湿潤させた複数の払拭面により液清掃を円滑に行え利便性に富んだ清掃具を実現することができる。
【００２５】
本発明に係る第６の形態によれば、開口部は、外周面に形成した孔部の中央部を閉鎖する閉鎖面により分離して形成された複数の貫通孔を有し、閉鎖面により当接部を構成したので、開口部に貯留液の流通機能と、弁体の開閉動作を行う開閉機能とを具備させて液供給構造をコンパクト化でき、払拭体を湿潤させた複数の払拭面により液清掃を円滑に行え利便性に富んだ清掃具を実現することができる。
【００２６】
本発明に係る第７の形態によれば、各外周面には、開口部が１つ以上形成され、各開口部毎に吐出口を設けたので、ひとつの払拭面に貯留液を十分に塗布可能な液供給構造をコ
ンパクトに構成して、払拭体を湿潤させた複数の払拭面により液清掃を円滑に行え利便性に富んだ清掃具を実現することができる。
【００２７】
本発明に係る第８の形態によれば、貯留タンクの液充填口を保持部の軸支部と対向して配置することによって、貯留タンクの液充填機能と回動機能とを保持部に設けて、液供給構造をコンパクト化でき、払拭体を湿潤させた複数の払拭面により液清掃を円滑に行え利便性に富んだ清掃具を実現することができる。
【００２８】
本発明に係る第９の形態によれば、清掃用液体に、少なくとも、水、洗剤溶液、除菌液、フローリング液（床磨き材、ワックス等を含む。）のいずれかを使用することにより被清掃面に適した清掃液を含浸させた払拭体を使用して液清掃を円滑に行え、しかもコンパクト化した液供給構造を備えた清掃具を実現することができる。
【図面の簡単な説明】
【００２９】
【図１】図１は、本発明の一実施形態である清掃具の全体斜視図である。
【図２】図２は、図１の清掃具に使用されるグリップ６に内蔵された電動式液送出機構７を示す、グリップ６の縦断面図である。
【図３】図３は、前記清掃具の保持部２の内部構造を示す正面図である。
【図４】図４は、保持部２の内部構造を示す外観斜視図である。
【図５】図５は、保持部２の断面図である。
【図６】図６は、連結部４の分解斜視図である。
【図７】図７は、別の実施形態に係る清掃具の外観斜視図である。
【図８】図８は、別の実施形態に係る清掃具の保持部１０２の内部構造を示す正面図である。
【図９】図９は、保持部１０２の内部構造を示す外観斜視図である。
【図１０】図１０は、保持部１０２の内部に装着した貯留タンク１０８を示す外観斜視図である。
【図１１】図１１は、保持部１０２の蓋板１２１に設けた開口部１２１の正面図である。
【図１２】図１２は、弁構造を備えた吐出口１２６の縦断面図である。
【図１３】図１３は、弁構造を備えた吐出口１２６の縦断面図である。
【図１４】図１４は、貯留タンク１０８の内側より見た吐出口１２６の平面図である。
【図１５】図１５は、吐出口１２６の弁開閉動作を説明するための側面図である。
【図１６】図１６は、吐出口１２６の弁開閉動作を説明するための側面図である。
【発明を実施するための形態】
【００３０】
以下に、本発明に係る清掃具の実施形態を添付する図面に従って詳細に説明する。
【００３１】
図１は本実施形態に係る清掃具の全体を示す。
【００３２】
本実施形態に係る清掃具は、払拭体１と、払拭体１を外装して保持する保持部２と、保持部２と連結部４を介して連結したハンドル部３とを有した清掃具である。清掃具構成材には、一部の金属管を除き、アクリル、ＰＣ、ＡＢＳ等の樹脂材を使用することができる。
【００３３】
ハンドル部３は、長手柄形状のパイプ管５と、パイプ管５の先端側に設けたグリップ６とを有する。パイプ管５の下端は連結部４に挿着されている。
【００３４】
グリップ６は、清掃用液体（以下、清掃液という。）を貯留する貯留タンク８と、貯留
タンク８と内部でタンク貯留液を送出可能に設けた電動式液送出機構７とを有する。グリップ６は、電動式液送出機構７を内蔵し、外観上は取っ手形状に形成されている。貯留タンク８はグリップ６の外径と同径の筒体により形成されている。電動式液送出機構７の操作部である操作ボタン９は、グリップ６の中間に露出して設けられている。本発明に係る清掃液には、清掃作業に内容に応じて、例えば、水、洗剤溶液、除菌液、フローリング液（床磨き材、ワックス等を含む。）等を使用することができる。
【００３５】
保持部２は、三角柱形状を有し、三角柱の３つの外周面には、貯留タンク８の貯留液の吐出により払拭体１を裏側から湿潤させるための開口部１０が形成されている。一端側が連結部４に連結した略Ｕ字形の回動軸材１１の他端側は回動自在に保持部２の一端側に軸支されている。
【００３６】
払拭体１は、図１に示すように、三つ折り形状を有する不織紙シートからなる。払拭体１を保持部２の三角柱側面に沿って巻き付けてシート下端の接着剤部１２で接着止めすることにより、払拭体１を保持部２に外装することができる。本発明に係る払拭体には、不織紙シートの他に、不織布、織布、紙、パイル状モップ、スポンジ材など各種の清掃用払拭体を使用することができる。外装には、接着止めの他に、例えば、パイル状モップを使用する場合、内部より貯留液の湿潤可能な袋形体に形成したモップを保持部２に外側から被着する外装形態を使用することができる。
【００３７】
図２は、グリップ６に内蔵された電動式液送出機構７を示す、グリップ６の縦断面図である。
【００３８】
電動式液送出機構７は、貯留タンク８から貯留液を吸引する吸引管１３と、保持部２側に該貯留液を送出する送出管１８とを含むポンプ部１５と、ポンプ部１５を電動駆動する駆動モータ１４と、駆動モータ１４の駆動電源である電池１６と、を有する。ポンプ部１５、駆動モータ１４および電池１６は、グリップ６内の収容室１９に不動状態で収容されている。操作ボタン９の押下により、駆動モータ１４を駆動・非駆動に切り換えることができる。図２においては、操作ボタン９の操作に応じて駆動モータ１４をオンオフ駆動制御する、ポンプ部１５に内蔵された駆動回路や信号配線を省略している。吸引管１３と送出管１８は一本の管材で形成されていて、ポンプ部１５は、吸引管１３と送出管１８の中間部分をしごくようにしてポンプ作用を発揮するチューブポンプにより構成されている。グリップ６は、一対の収容室１９を構成する半割形状の部材を互いの凹凸部（図示せず）で嵌合させ、貯留タンク８を嵌着して形成されている。
【００３９】
貯留タンク８は、下端面が開放された筒形状を有し、開放口の上端面には収容室１９と嵌合する嵌合凸部（図示せず）が形成されている。該嵌合凸部に対応した嵌合凹部（図示せず）が収容室１９の上端面に形成されている。貯留タンク８内に清掃液を充填した状態で、開放口を上にして、収容室１９を上方より？み合わせて、該嵌合凸部と該嵌合凹部どうしを嵌合させることにより、貯留タンク８は収容室１９上方に密閉状に連結される。収容室１９上方には、貫通孔１７が穿設されている。貯留タンク８を収容室１９に嵌合して連結する際に、吸引管１３は貫通孔１７を挿通させてポンプ部１５連結部４に導入されている。駆動モータ１４を駆動してポンプ部１５を吸引動作したとき、吸引管１３を通じて貯留タンク８内の貯留液を吸引して汲み出すことができる。
【００４０】
収容室１９の下部には、貫通孔２０が穿設されている。送出管１８は、貫通孔２０を挿通してパイプ管５内に導入されている。送出管１８は、連結部４の内部まで延設されている。吸引管１３を通じて汲み出された貯留液は、連結部４を経由して連結部４から保持部２内に導入された送出管２８に送出されて、開口部１０に向けて放出可能になっている。
【００４１】
図３および図４は、それぞれ保持部２の内部構造を示す正面図、外観斜視図である。
【００４２】
保持部２の３つの外側面は、両端部を除いて蓋板２１により閉塞可能になっている。蓋板２１に設けた６個の貫通孔２２と、保持部２本体側に設けた６個のビス孔２３とにビス（図示せず）を挿入して蓋板２１を該本体にビス止めすることができる。図３および図４は１つの蓋板２１を保持部２から取り外した状態を示す。
【００４３】
回動軸材１１は、アルミ等の金属パイプからなり、一端が保持部２の一端側に軸支されている。回動軸材１１の素材には、硬質樹脂材を使用することができる。回動軸材１１内には送出管２８が遊挿されている。送出管２８の一端は、連結部４に導入され、他端は回動軸材１１を経て保持部２内部に露出した状態で、保持部２の中心方向に沿って保持部２の端部まで延設されている。送出管２８の終端は、閉塞されていて、保持部２の該端部に設けた筒部３０（図５参照）に嵌合する位置まで延長されている。保持部２内の送出管２８には、開口部１０に対応する位置に、吐出口２６が２箇所、穿設されている。各吐出口２６には、開口部１０に向けて清掃液を放散させるための放散部材２７が外嵌されている。放散部材２７には、液流通が可能なスポンジ等のポーラス部材を使用することができる。
【００４４】
図５は、保持部２の断面形状を示す。
【００４５】
保持部２の内部には、三角柱形状を強固に維持するための補強構造が設けられている。該補強構造は、保持部２の両端と中間に形設されている。該補強構造は、三角柱の中心から稜線の角に至る支持材２９と、該中心に設けた筒部３０とにより構成されている。保持部２の一端側に設けた筒部３０は、回動軸材１１の軸支部を構成している。すなわち、筒部３０の内径部３１は、回動軸材１１と略同径の貫通孔で形成されていて、回動軸材１１が嵌挿した状態で、保持部２全体は内径部３１の中心の回りに回動可能になっている。図４に示す符号２４は、筒部で構成された軸支部を示す。保持部２の他端側と中間に設けた筒部３０は、送出管２８を遊挿させ、他端側では送出管２８の嵌合により、保持部２の内部に導入された送出管２８を、保持部２の長手方向の中心に沿って保持することができる。
【００４６】
図６は、連結部４の分解斜視図である。
【００４７】
連結部４は、回動部材３２、３７と、回動軸受部部材４０、４１とを有する。回動部材３２、３７と、回動軸受部部材４０、４１は、それぞれ半割形状の部材で構成され、互いに嵌合して回動部材、回動軸受部を形成する。
【００４８】
回動部材３２、３７には、パイプ管５を挿着する縦溝３３が形成されている。縦溝３３の下部には、送出管１８が嵌入可能な縮径部３４が形成されている。回動部材３２、３７の各下端には回動部３５、３９が一体的に形成されている。各回動部３５、３９には、回動軸受部部材４０の上部舌片４２の表裏に設けた軸部４３と嵌合する軸穴３９、３６が穿設されている。
【００４９】
回動軸受部部材４１は、回動軸受部部材４０の下部と合体するブロック部材で構成されている。該ブロック部材の内側には、送出管１８が嵌入可能な縦溝４６が形成されている。縦溝４６の下部は縮径部４８を経て、回動軸材１１が嵌入する縦溝４７が形成されている。回動軸受部部材４０の下部のブロック部材内側には、回動軸受部部材４１の縦溝４６、縮径部４８および縦溝４７に対接する縦溝４９、縮径部５０および縦溝５１が形成されている。
【００５０】
回動軸受部部材４０と回動軸受部部材４１を組み合わせて強固に合体させた状態で、縦溝５１、４７により形成される孔部に回動軸材１１の上端をＬ字状に屈曲して無理ばめ状に嵌入することによって、図１に示すように、回動軸材１１を連結部４に一体的に連結することができる。
【００５１】
上部舌片４２の表裏に設けた軸部４３に回動部材３２、３７の軸穴３９、３６を嵌合して、回動部材３２、３７を組合せて合体させると、図１に示す連結部４が形成される。連結部４に挿着されたパイプ管５は、軸部４３を中心にして保持部２の長手方向を含む平面内を回動自在に連結される。
【００５２】
送出管１８の下端は縮径部３４を経て縦溝４６、４９まで導入されている。回動軸材１１に挿入された送出管２８の上端は、縮径部４５、５０内に嵌入されている。回動軸材１１はＬ字状に屈曲して連結部４に嵌着され、かつ回動軸材１１全体は略Ｕ字形に屈曲されているので、送出管２８の上端は、縮径部４５、５０内の位置に安定保持されている。連結部４において、送出管１８から送出された貯留液は縮径部４５、５０内に流れ込み、送出管２８に流入して、送出管２８を介して保持部２内に供給可能になっている。
【００５３】
上記構成の清掃具において、液清掃を行う場合、操作ボタン９を押下することにより、貯留タンク８から清掃液をポンプ部１５により汲み出して送出管２８に導き、吐出口２６より放散部材２７を介して開口部１０に向けて放出することができる。放出された清掃液は払拭材１の裏面に噴き付けられて払拭材１を湿潤させることができる。これによって湿潤した払拭材１による液清掃が可能になる。
【００５４】
本実施形態によれば、清掃用液体を貯留する貯留タンク８と、貯留タンク８の貯留液を吐出させる吐出手段（電動式液供給機構７および送出管２８）と、を有し、保持部２は、払拭体１を外装する複数の外周面で構成された回転多面体構造を有し、各外周面に開口部１０を形成し、貯留タンク８の内部に貯留液の吐出口２６を設け、該吐出手段により吐出口２６から貯留液を開口部１０に向けて吐出可能にし、該貯留液の吐出により払拭体１を湿潤させることが可能な液供給構造を有するので、清掃用液体の供給構造をコンパクト化でき、しかも払拭体を湿潤させた複数の払拭面により液清掃を円滑に行え利便性に優れた清掃具を実現することができる。本発明に係る吐出手段には、握力等で手動により内容積が変形可能な貯留タンク容器を用いて、該容器の内容積を変形させて貯留液体を送出できる機械式送出機構を使用することができる。本発明に係る保持部の回転多面体構造には、実施形態の３面体に限らず、扁平直方体のよう略２面体や４面以上の多面体を回動可能にする多面体構造を使用することができる。
【００５５】
本実施形態に係る清掃具は、貯留タンク８を保持部２の外部に配置し、吐出口２６を開口部１０に対向する位置に配設し、貯留タンク８から貯留液を開口部１０に吐出して払拭体１を湿潤させることが可能な液供給構造を有するので、液供給構造をコンパクト化でき、しかも払拭体を湿潤させた複数の払拭面により液清掃を円滑に行え利便性に優れている。
【００５６】
保持部の内部に設けた貯留タンク８は、保持部２を中心軸の回りに回動可能に軸支し、該吐出手段は、保持部２を所定の回動位置に回動した場合、貯留液を払拭体の裏側に吐出可能にし、それ以外の回動位置に回動した場合には、貯留液の吐出を不能にする弁部材を有するので、払拭面の切替の際に新払拭面に貯留液を塗布でき、コンパクト化した液供給構造により、払拭体を湿潤させた複数の払拭面により液清掃を円滑に行え利便性に富んだ清掃具を実現することができる。
【００５７】
保持部２の各外周面には、開口部１０が複数個形成され、各開口部毎に吐出口２６が設
けられているので、ひとつの払拭面に貯留液を十分に塗布可能な液供給構造をコンパクトに構成して、払拭体を湿潤させた複数の払拭面により液清掃を円滑に行え利便性に富んだ清掃具を実現することができる。
【００５８】
図７は別の実施形態に係る清掃具の全体を示す。
【００５９】
図７の清掃具は、払拭体１０１と、払拭体１０１を外装して保持する保持部１０２と、保持部１０２と連結部１０４を介して連結したハンドル部１０３とを有した清掃具である。
【００６０】
図７の清掃具は、前記実施形態と異なり、清掃液の供給構造を保持部１０２に内蔵している。ハンドル部１０３は、長手柄形状のパイプ管５と、パイプ管１０５の先端側に設けたグリップ１０６とを有する。パイプ管１０５の下端は連結部１０４に挿着されている。
【００６１】
保持部１０２は、前記実施形態と同様に、三角柱形状を有し、三角柱の３つの外周面には、保持部１０２内に設けた貯留タンク１０８の貯留液の吐出により払拭体１０１を裏側から湿潤させるための開口部１１０が形成されている。一端側が連結部１０４に連結した略Ｕ字形の回動軸材１１１の他端側は回動自在に保持部２の一端側に軸支されている。
【００６２】
払拭体１０１は、前記実施形態の払拭体１と同様の部材であり、三つ折り形状を有する不織紙シートからなる。払拭体１０１を保持部１０２の三角柱側面に沿って巻き付けてシート下端の接着剤部１１２で接着止めすることにより、払拭体１０１を保持部１０２に外装することができる。
【００６３】
図８および図９は、それぞれ保持部１０２の内部構造を示す正面図、外観斜視図である。図８〜図１０において、回動軸材１１１の先端部分を省略している。
【００６４】
保持部２の３つの外側面は、両端部を除いて蓋板１２１により閉塞可能になっている。蓋板１２１に設けた６個の貫通孔１２２と、保持部１０２本体側に設けた６個のビス孔１２３とにビス（図示せず）を挿入して蓋板１２１を該本体にビス止めすることができる。図８および図９は１つの蓋板１２１を保持部１０２から取り外した状態を示す。
【００６５】
回動軸材１１１は、金属パイプからなり、下端が保持部２の一端側に軸支されている。保持部１０２の内部には、前記実施形態と同様に、三角柱形状を強固に維持するための補強構造（図５参照）が設けられている。該補強構造の中心に設けた筒部（図５の筒部３０参照）により回動軸材１１１の軸支部を構成している。
【００６６】
連結部１０４は、前記実施形態と同様の組立て構造を有し、パイプ管１０５の回動部材１０４ａへの挿着によるハンドル部１０３の回動機能と、回動軸受部材１０４ｂによる回動軸材１１１の連結支持機能とを備える。連結部１０４の組立て構造の詳細は、前記実施形態において図６で説明しているので、ここではその説明を省略する。
【００６７】
貯留タンク１０８は、全体として有底円筒ドラム形状を有し、タンク中間部には補強用仕切構造（図８・図９参照）を備える。補強用仕切構造の隔壁は、保持部２内へ貯留タンク１０８を装着する際の摘み部分としても使用することができる。貯留タンク１０８の底部には、回動軸材１１１の軸支部の筒部（図５の筒部３０参照）に遊嵌される軸部１０８ａが貯留タンク１０８の中心軸方向に突設されている。
【００６８】
図１０は、保持部１０２の内部に装着した貯留タンク１０８を示す。同図（１０Ａ）は、貯留タンク１０８の開口（液充填口）１１３の蓋部材１０９を外した液充填可能状態を
示す。同図（１０Ｂ）は、貯留タンク１０８の開口（液充填口）１１３の蓋部材１０９を嵌めた密閉状態を示す。
【００６９】
貯留タンク１０８の軸部１０８ａを回動軸材１１１の軸支部に遊嵌し、開口１１３側の端部を保持部１０２の一端側の貫通孔に遊嵌することによって、保持部１０２は、貯留タンク１０８の周囲を周回自在に回動することができる。図１０に示すように、蓋板１２１の一端部には軸受用円弧部１０７が形成されている。３つの蓋板１２１の各円弧部１０７は、貯留タンク１０８の外周を覆い、保持部１０２の回動を円滑に行うことができる。
【００７０】
図１１は、蓋板１２１に設けた開口部１２１の正面図である。
【００７１】
各蓋板１２１には、横方向の中心線に沿って２個の開口部１２１が並設されている。開口部１２１は、１／４円弧形状で円弧長さが異なる貫通孔１１０ａ，１１０ｂにより形成されている。貫通孔１１０ａ，１１０ｂはそれぞれ４個ずつ設けられている。
【００７２】
貫通孔１１０ａ，１１０ｂは、蓋板１２１の板面に対して、中心部１１０ｆと、中心部１１０ｆに十字に交わる縦幅部１１０ｄおよび横幅部１１０ｅと、さらに、中心部１１０ｆと同心で縦幅部１１０ｄおよび横幅部１１０ｅに交わる円輪部１１０ｃを形成することにより中心部１１０ｆを中心にして放射状に設けられている。
【００７３】
貯留タンク１０８の両端側には、弁構造を備えた、貯留液の吐出口１２６が一対設けられている。一対の吐出口１２６は、貯留タンク１０８の中心線に沿って並設されている。
【００７４】
図１２および図１３は、弁構造を備えた吐出口１２６の縦断面を示す。図１４は、貯留タンク１０８の内側より見た吐出口１２６の平面図である。
【００７５】
吐出口１２６は、貯留タンク１０８の外周壁を貫通する円筒状貫通孔１３９により形成され、吐出口１２６の中央には、貫通孔１３９を開閉するための弁部材が設けられている。弁部材は、外側に鍔部１３０を設けたリベット形状の弁体１３１を有する。
【００７６】
図１４に示すように、吐出口１２６は、ばね当接部１３８と、ばね当接部１３８を２方向から支持する連接部１４２とを有し、ばね当接部１３８および連接部１４２により分割された一組の半円の円弧形状の貫通孔１３９が貯留タンク１０８の外周壁に穿設されている。鍔部１３０の裏側と、ばね当接部１３８の段差部分には、ばね１３７が介挿されている。ばね１３７は、鍔部１３０を介して弁部材を外側に付勢する付勢手段である。
【００７７】
弁体１３１の尖頭部１４１には、外周に沿ってリング状の溝１３２が刻設されている。溝１３２にはリング形状のゴム板１４３が嵌着されている。貫通孔１３９の内側端部の周囲には、貯留タンク１０８の内壁１３５より外側に凹設した段差部１３４が形成されている。ゴム板１４３の下面は、段差部１３４と嵌合する段差形状に形成されている。ばね１３７の付勢力により、鍔部１３０を介して弁部材は外側に付勢されて、ゴム板１４３の下面は内壁１３５に密着して液漏れを防止することができる。本実施形態では、さらに、ゴム板１４３の下面が段差部１３４と嵌合することにより、貯留液の漏洩を確実に防止することができる。
【００７８】
図１５および図１６は、吐出口１２６の弁開閉動作を説明するための側面図である。
【００７９】
弁部材は、ばね１３７の付勢力を受けて、弁体１３１の鍔部１３０の表面が開口部１１０の縦幅部１１０ｄに当接する位置に配置されている。縦幅部１１０ｄは、弁部材と当接可能な当接部であり、保持部１０２の回動位置に応じて鍔部１３０が当接し、あるいは当
接しない状態になる。
【００８０】
図１２および図１５は、鍔部１３０が縦幅部１１０ｄの内平面１４０に当接していない状態を示し、図１３および図１６は、鍔部１３０が内平面１４０に当接している状態を示す。
【００８１】
払拭体１０１の払拭面を清掃液で新たに湿潤された払拭面に切り替えるときは、例えば、保持部１０２を図１５の非当接位置から回動させることにより、図１６の当接位置に移動し、鍔部１３０が縦幅部１１０ｄの内平面１４０に当接して、弁体１３１は、ばね１３７の付勢力に抗して矢印Ｇの内向きに内側に押し込まれて押動し、貫通孔１３９を開放することができる。貫通孔１３９の開放により貯留液１１４が、矢印Ｆの外向きに払拭体１０１の裏側に向けて送出されて、開口部１１０の貫通孔１１０ａおよび１１０ｂより払拭体１０１に放出され、払拭体１０１を湿潤させることができる。さらに、保持部１０２を回動させると、鍔部１３０が縦幅部１１０ｄに当接しない位置に戻ることができる。
【００８２】
図７の別の実施形態によれば、貯留タンク１０８と、貯留タンク１０８の貯留液を吐出させる吐出手段（弁構造を備えた吐出口１２６）と、を有し、保持部１０２は、払拭体１０１を外装する複数の外周面で構成された回転多面体構造を有し、各外周面に開口部１１０を形成し、貯留タンク１０８の内部に貯留液の吐出口１２６を設け、該吐出手段により吐出口１２６から貯留液を開口部１１０に向けて吐出可能にし、該貯留液の吐出により払拭体１０１を湿潤させることが可能な液供給構造を有するので、液供給構造をコンパクト化でき、しかも払拭体１０１を湿潤させた複数の払拭面により液清掃を円滑に行え利便性に優れた清掃具を実現することができる。
【００８３】
また、付勢手段のばね１３７の付勢力により外向きに付勢されて貯留液の吐出を不能にする弁体１３１を有し、開口部１１０は、弁体１３１に当接して該付勢力に抗して内向きに弁体１３１を移動させる当接部（縦幅部１１０ｄ）を有し、保持部１０２が回動すると弁体１３１が該当接部に当接して押動されることによって貯留液を払拭体の裏側に吐出可能にすることができる。したがって、払拭面の切替の際に新払拭面に貯留液を確実に塗布できるコンパクトな液供給構造によって、払拭体を湿潤させた複数の払拭面により液清掃を円滑に行え利便性に富んだ清掃具を実現することができる。
【００８４】
弁体１３１が該当接部に当接しないときは、弁体１３１は付勢手段のばね１３７により吐出口１２６を封鎖して貯留液の吐出を遮断するので、払拭面の切替を必要とするときに新払拭面に貯留液を確実に塗布できる液供給構造をコンパクトに構成して、払拭体を湿潤させた複数の払拭面により液清掃を円滑に行え利便性に富んだ清掃具を提供することができる。弁部材の押動機構には、開口部を外側に膨らんだ可撓性部材で構成し、その膨らんだ部分を内向きに押し込むことで弁体を押動する機構等を使用することができる。
【００８５】
開口部１１０は、外周面に形成した孔部の中央部を閉鎖する閉鎖面により分離して形成された複数の貫通孔１１０ａ、１１０ｂを有し、閉鎖面により該当接部を構成したので、開口部１１０に貯留液の流通機能と、弁体の開閉動作を行う開閉機能とを具備させて液供給構造をコンパクト化でき、払拭体を湿潤させた複数の払拭面により液清掃を円滑に行え利便性に富んだ清掃具を実現することができる。
【００８６】
さらに、貯留タンク１０８の液充填口１１３を保持部１０２の軸支部と対向して配置することによって、貯留タンク１０８の液充填機能と回動機能とを保持部１０２に設けて、液供給構造をコンパクト化でき、払拭体を湿潤させた複数の払拭面により液清掃を円滑に行え利便性に富んだ清掃具を実現することができる。本発明は、図１および図７の長手状のハンドル部を備える掃除具に限らず、例えば、短尺状の柄を備えたハンディ型掃除具に
も適用することができる。
【００８７】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００８８】
以上詳述したように、本発明に係る清掃具は、コンパクトに構成した清掃液の供給構造を備え、利便性に富んでいるので、例えば、レンタルモップ業界や売り切りモップ業界の業態の活性化に貢献することができる。
【符号の説明】
【００８９】
１          払拭体
２          保持部
３          ハンドル部
４          連結部
５          パイプ管
６          グリップ
７          電動式液送出機構
８          貯留タンク
９          操作スイッチ
１０          開口部
１１          回動軸材
１２          接着剤部
１３          吸引管
１４          駆動モータ
１５          ポンプ部
１６          電池
１７          貫通孔
１８          送出管
１９          収容室
２０          貫通孔
２１          蓋板
２２          貫通孔
２３          ビス孔
２４          軸支部
２６          吐出口
２７          放散部材
２８          送出管
１０１        払拭体
１０２        保持部
１０３        ハンドル部
１０４        連結部
１０４ａ      回動部材
１０４ｂ      回動軸受部材
１０５        パイプ管
１０６        グリップ
１０７        円弧部
１０８        貯留タンク
１０８ａ      軸部
１０９        蓋部材
１１０        開口部
１１１        回動軸材
１１２        接着剤部
１１３        開口
１１４        貯留液
１２１        蓋板
１２２        貫通孔
１２３        ビス孔
１２６        吐出口
１３０        鍔部
１３１        弁体
１３２        溝
１３４        段差部
１３５        内壁
１３７        ばね
１３８        ばね当接部
１３９        貫通孔
１４０        内平面
１４１        先頭部
１４２        連接部
１４３        ゴム板
【図１】
0006722490.tif 000002
【図２】
0006722490.tif 000003
【図３】
0006722490.tif 000004
【図４】
0006722490.tif 000005
【図５】
0006722490.tif 000006
【図６】
0006722490.tif 000007
【図７】
0006722490.tif 000008
【図８】
0006722490.tif 000009
【図９】
0006722490.tif 000010
【図１０】
0006722490.tif 000011
【図１１】
0006722490.tif 000012
【図１２】
0006722490.tif 000013
【図１３】
0006722490.tif 000014
【図１４】
0006722490.tif 000015
【図１５】
0006722490.tif 000016
【図１６】
0006722490.tif 000017